(57)【要約】【課題】デジタルカメラで撮影した画像データに固有のＩＤを付加しておくことにより、プリンタに接続した際にプリンタが上記ＩＤの画像の印刷処理を許可するか否かの判断結果により印刷を開始することでプリンタおよびデジタルカメラの所有者または画像データの所有者が希望する状況でのみ、ダイレクト印刷処理を行うことが可能とするものである。【解決手段】画像データ及び画像生成情報が蓄積された記録媒体を有し、前記画像データ及び画像再生情報を画像記録装置に送信し、印刷画像を生成する画像処理システムであって、前記画像データ及び画像再生情報を印刷ジョブに変換する過程において、前記画像データ及び画像再生情報に付加された印刷制御情報により、前記画像データを印刷ジョブに変換するか否かを判断する判断手段と、前記判断手段の結果により、印刷画像を生成するか否かを決定する決定手段とを有することを特徴とする画像処理システム。【選択図】        図１
2006222634.tif 000002
【特許請求の範囲】
【請求項１】
画像データ及び画像生成情報が蓄積された記録媒体を有し、前記画像データ及び画像再生情報を画像記録装置に送信し、印刷画像を生成する画像処理システムであって、
前記画像データ及び画像再生情報を印刷ジョブに変換する過程において、前記画像データ及び画像再生情報に付加された印刷制御情報により、
前記画像データを印刷ジョブに変換するか否かを判断する判断手段と、
前記判断手段の結果により、印刷画像を生成するか否かを決定する決定手段とを有することを特徴とする画像処理システム。
【請求項２】
画像データ及び画像生成情報が蓄積された記録媒体を有し、前記画像データ及び画像再生情報を画像記録装置に送信し、印刷画像を生成する画像処理システムにおける制御方法であって、
前記画像データ及び画像再生情報を印刷ジョブに変換する過程において、前記画像データ及び画像再生情報に付加された印刷制御情報により、
前記画像データを印刷ジョブに変換するか否かを判断する判断ステップと、
前記判断手段の結果により、印刷画像を生成するか否かを決定する決定ステップとを有することを特徴とする画像処理システムの制御方法。
【発明の詳細な説明】
【技術分野】
【０００１】
本発明は画像処理システムおよびその制御方法に関し、撮像装置、画像処理装置及び画像処理システムにおける画像生成方法に関するものである。
【背景技術】
【０００２】
近年、撮像装置としてデジタルカメラが普及し、デジタルカメラを手軽に扱うことを可能とするための技術が開発されている。その中の一つにデジタルカメラとプリンタとのダイレクト接続がある（例えば、特許文献１参照）。
【０００３】
これはデジタルカメラで撮影した画像を、パーソナルコンピュータなどを介すことなく、プリント出力を可能とするもので、パーソナルコンピュータを持たない、またはパーソナルコンピュータを介して手軽に印刷を行えないユーザーのデジタルカメラの使用を促進する。
【０００４】
デジタルカメラとパーソナルコンピュータ、またはダイレクトプリントを行う場合のデジタルカメラとプリンタの接続は、無線と有線の２種類の方法で実施され、デジタルカメラ内の記憶媒体に記録されたビットマップデータまたはＪＰＥＧ、ＪＢＩＧ等のデータ圧縮された画像データを直接、プリンタに出力し、プリンタの画像処理回路においてプリントエンジンが印字動作が可能なデータ形式に変換し、所望の画像データを印刷していた。
【特許文献１】特開平１１−２３９３１２号公報
【発明の開示】
【発明が解決しようとする課題】
【０００５】
しかしながら上記従来例では、デジタルカメラで記録された画像データをプリントする際には特に出力制限は設けられていないため、プリンタおよびデジタルカメラの所有者または画像データの所有者が希望しない状況においても印刷が可能であり、セキュリティ管理面と印刷コスト管理面での問題があった。
【０００６】
本発明は上記問題を解決するためのもので、デジタルカメラで撮影した画像データに固有のＩＤを付加しておくことにより、プリンタに接続した際にプリンタが上記ＩＤの画像の印刷処理を許可するか否かの判断結果により、印刷を開始することで、プリンタおよびデジタルカメラの所有者または画像データの所有者が希望する状況でのみ、ダイレクト印刷処理を行うことが可能とするものである。
【課題を解決するための手段】
【０００７】
この発明は下記の構成を備えることにより上記課題を解決できるものである。
【０００８】
（１）画像データ及び画像生成情報が蓄積された記録媒体を有し、前記画像データ及び画像再生情報を画像記録装置に送信し、印刷画像を生成する画像処理システムであって、前記画像データ及び画像再生情報を印刷ジョブに変換する過程において、前記画像データ及び画像再生情報に付加された印刷制御情報により、前記画像データを印刷ジョブに変換するか否かを判断する判断手段と、前記判断手段の結果により、印刷画像を生成するか否かを決定する決定手段とを有することを特徴とする画像処理システム。
【０００９】
（２）画像データ及び画像生成情報が蓄積された記録媒体を有し、前記画像データ及び画像再生情報を画像記録装置に送信し、印刷画像を生成する画像処理システムにおける制御方法であって、前記画像データ及び画像再生情報を印刷ジョブに変換する過程において、前記画像データ及び画像再生情報に付加された印刷制御情報により、前記画像データを印刷ジョブに変換するか否かを判断する判断ステップと、前記判断手段の結果により、印刷画像を生成するか否かを決定する決定ステップとを有することを特徴とする画像処理システムの制御方法。
【発明の効果】
【００１０】
本発明ではデジタルカメラで撮影した画像データに固有のＩＤを付加しておくことにより、プリンタに接続した際にプリンタが上記ＩＤの画像の印刷処理を許可するか否かの判断結果により、印刷を開始することで、プリンタおよびデジタルカメラの所有者または画像データの所有者が希望する状況でのみ、ダイレクト印刷処理を行うことが可能となったことで、ダイレクト印刷システムにおいて画像データおよび画像処理装置の管理が可能となった。
【発明を実施するための最良の形態】
【００１１】
図１はデジタルカメラ等のデジタル撮像装置１０１とプリンタ等の画像出力装置２０１とを、ＩＥＥＥ１３９４シリアルバスやＵＳＢ２．０などのインターフェースにより接続してなる画像入出力システムのブロック図である。以下にこのブロック図を用いて本発明の説明を行う。
【００１２】
図１において、撮像装置１０１は撮像部１１４においてＣＣＤにより撮像信号を得る。撮影されて得られた信号は画像処理部１１２によって色変換処理、フィルタ処理、および本発明によるプリンタ装置の印刷用パラメータを加味した色画像処理が施され、画像データへと変換される。変換された画像データはデータ記憶部１１３において記憶され、印刷指令がなされるとデータ記憶部１１３に格納されているデータはデジタル撮像装置１０１のデータ制御とコマンド制御をつかさどる制御部１１５を介してデータＩ／Ｆ部１１１に送られ、画像出力装置２０１にデータ送信される。
【００１３】
画像出力装置２０１は撮像装置１０１から送られた画像データをデータＩ／Ｆ部２１１にて受信し、制御部２１３に格納し、画像処理部２１２においてプリンタエンジンが所望の印刷が可能なように画像データのビットマップ展開を行い、制御部２１３を介してプリンタエンジンに印字データを送出する。操作部２１４は画像出力装置２０１の印刷モードの設定や印刷許可の設定をユーザーが行うための操作パネルである。
【実施例】
【００１４】
図２は本発明の処理の流れを示す実施例のフローチャートである。デジタル撮像装置１０１において印刷指令がなされると、データＩ／Ｆ部１１１を介して接続された画像出力装置２０１に印刷指令された画像データに固有のＩＤの読み込みを行う（Ｓ１１）。次に読み込んだ固有ＩＤが画像出力装置２０１に格納されている印刷許可されたＩＤか否かの判断をＳ１２において行い、許可されているＩＤであればＳ１３に進み、印刷データを生成する（Ｓ１４）。そして印刷データが完成すると制御部２２４からプリンタエンジンに対して印刷データ送信を行い（Ｓ１５）、本手順を終了する。
【００１５】
固有ＩＤを画像出力装置２０１に格納する方法としては、画像出力装置２０１の操作パネル上でユーザーが設定可能としたり、ホストコンピュータから設定可能としてもよい。
【００１６】
Ｓ１２において取得した固有ＩＤが許可されたＩＤでない場合、デジタル撮像装置１０１に対して印刷不可能であるとのメッセージを送信し（Ｓ１６）、本手順を終了する。
【図面の簡単な説明】
【００１７】
【図１】本発明の実施形態のシステム全体を示す図である。
【図２】本発明におけるデータ処理方法の第一の実施例を示すフローチャートである。
【符号の説明】
【００１８】
１０１  撮像装置
１１２  画像処理部
１１３  データ記憶部
１１４  撮像部
１１５  制御部
２０１  画像出力装置
２１２  画像処理部
２１３  制御部
２１４  操作部
【図１】
2006222634.tif 000003
【図２】
2006222634.tif 000004